(57)【特許請求の範囲】
【請求項１】
サッシ枠と外障子と内障子とを備え、外障子は、下部にサッシ竪枠に対して進退自在に取付けた外障子用ロッド棒を有し、内障子は、下部にサッシ竪枠に対して進退自在に取付けた内障子用ロッド棒を有し、外障子用ロッド棒と内障子用ロッド棒は略同一部材としてあり、サッシ上枠には内障子用バランサー及び外障子用バランサー取付自在空間並びに内障子用ワイヤー及び外障子用ワイヤー挿通自在空間が設けてあって、サッシ上枠に着脱自在に設けたカバー材を取り外すことで、内障子用バランサー及び外障子用バランサー取付自在空間並びに内障子用ワイヤー及び外障子用ワイヤー挿通自在空間が露出自在であり、サッシ竪枠の上部には外障子用のガイドピースが着脱自在であり、サッシ竪枠の中間部には外障子用のストッパーが着脱自在であり、内障子は、内障子用ロッド棒と内障子用バランサーを内障子用ワイヤーで連結して上下動自在障子としてあり、外障子は、外障子用ロッド棒と外障子用バランサーを外障子用ワイヤーで連結して上下動自在障子、または外障子上部をガイドピースに嵌合すると共にロッド棒をストッパーに係止することにより固定障子の何れの障子にもできることを特徴とする上げ下げ窓。
【発明の詳細な説明】
【０００１】
【発明の属する技術分野】
本発明は上げ下げ窓に関するものである。
【０００２】
【従来の技術】
上げ下げ窓は、上枠、下枠及び左右の竪枠からなるサッシ枠内に障子を上下に案内して設けたものである。障子は、左右の竪枠内に挿通したワイヤーで吊られており、上枠内にはバネの力でワイヤーを巻取るバランサーを収容して設けてあり、障子は軽い力で上げ下げでき、且つ任意の位置で停止できるようになっている。
【０００３】
そうした上げ下げ窓には、特開２０００−２４８８２１号公報等に開示されているように、サッシ枠内の上半分を嵌め殺しの窓として、サッシ枠の下半分に設けた室内側障子のみを上げ下げできるようにしたシングルハングと、室外側と室内側の２枚の障子を引き違いの状態でサッシ枠内に設け、その両方を上げ下げできるようにしたダブルハングの２種類がある。シングルハングのサッシ枠は、中間に横桟を設けて枠内が上下に区画され、サッシ枠内の上半分を嵌め殺し窓（ＦＩＸ窓とも言う）としてある。また、サッシ枠の竪枠には障子を案内するためにレールを備えるが、そのレールはシングルハングでは１本であるのに対して、ダブルハングの場合には２本並べて設けてある。
【０００４】
【発明が解決しようとする課題】
上げ下げ窓は、通常のサッシに比べて部品点数が多い上に、上記の通り二通りのタイプが有り、しかも両者はサッシ枠の構造等に大きな違いが有って、両者の間で部品を共用できる割合が少なかった。結果として上げ下げ窓は、コストが高いものとなっていた。
【０００５】
本発明はこうした実情に鑑み、シングルハングかダブルハングかによらず基本的な構造を同一のものとして、両者の間でなるべく部品を共用できるようにし、上げ下げ窓を低コストで提供することを目的とする。
【００１０】
【課題を解決するための手段】
上記の課題を達成するために請求項１記載の発明による上げ下げ窓は、サッシ枠と外障子と内障子とを備え、外障子は、下部にサッシ竪枠に対して進退自在に取付けた外障子用ロッド棒を有し、内障子は、下部にサッシ竪枠に対して進退自在に取付けた内障子用ロッド棒を有し、外障子用ロッド棒と内障子用ロッド棒は略同一部材としてあり、サッシ上枠には内障子用バランサー及び外障子用バランサー取付自在空間並びに内障子用ワイヤー及び外障子用ワイヤー挿通自在空間が設けてあって、サッシ上枠に着脱自在に設けたカバー材を取り外すことで、内障子用バランサー及び外障子用バランサー取付自在空間並びに内障子用ワイヤー及び外障子用ワイヤー挿通自在空間が露出自在であり、サッシ竪枠の上部には外障子用のガイドピースが着脱自在であり、サッシ竪枠の中間部には外障子用のストッパーが着脱自在であり、内障子は、内障子用ロッド棒と内障子用バランサーを内障子用ワイヤーで連結して上下動自在障子としてあり、外障子は、外障子用ロッド棒と外障子用バランサーを外障子用ワイヤーで連結して上下動自在障子、または外障子上部をガイドピースに嵌合すると共にロッド棒をストッパーに係止することにより固定障子の何れの障子にもできることを特徴とする。
【００１１】
【発明の実施の形態】
以下、本発明の実施の形態を図面に基づいて説明する。図２は、本発明の上げ下げ窓の一実施形態を示す室内側正面図であり、図１は図２におけるＡ−Ａ断面図、図３は図１におけるＢ−Ｂ断面図である。この上げ下げ窓は、サッシ上枠１３、サッシ下枠１４、及び左右のサッシ竪枠１５からなる縦長の長方形のサッシ枠３内に、外障子２と内障子１を備え、外障子２がサッシ枠３内の上の方に固定され、内障子１のみが上げ下げできるいわゆるシングルハングとなっている。内障子１は、下框１７に把手２２を備えており、上框１６にクレセント２３を備える。外障子２の下框２０には、内障子のクレセントに対応したクレセント受け２４を備え、全閉状態で施錠できる。
【００１２】
サッシ上枠１３は内部がすっきりと空洞になっていて、そこにバランサーを収容することができる。またサッシ上枠１３は、天面と室外側面が上枠本体２５によって形成され、室内側面と底面がカバー材１２によって形成されており、カバー材１２は上枠本体２５に対して着脱自在であって、カバー材１２を取り外した時には、バランサー取付空間が露出し、バランサーの取り付けやメンテナンス、ワイヤーの挿通等が容易に行えるようになっている。本実施形態では、サッシ上枠の内部の左右両側に、内障子用バランサー８のみを収容している。内障子用バランサー８は、内障子１を吊っているワイヤー６を巻取るプーリー２７を有し、プーリーは、内蔵したゼンマイバネ（図示省略）によって絶えずワイヤー６を巻き取る向きに付勢されいる。このバランサー８の働きによって、内障子１は任意の高さ位置で止めておくことが可能で、また軽い力で上げ下げすることができる。図中の符号２８は、内障子用バランサー８をサッシ竪枠１５に固定するためのブラケットである。なおサッシ上枠１３内には、後述するダブルハングの場合も想定し、内障子用バランサー８に隣接して外障子用バランサー取付自在空間４６と、外障子用ワイヤー挿通自在空間４７を設けてある。
【００１３】
サッシ竪枠１５には、内障子用と外障子用の２本のレール２９，３０を有している。内障子用のレール２９には、内障子用バランサー８からのワイヤー６が挿通されている。
【００１４】
内障子１は、上框１６、下框１７、及び左右の縦框１８とで方形の枠に形成され、枠内にＵ字ビード３１を介してガラスパネル３２を装着している。下框１７の左右両端部には、内障子用バランサーからのワイヤー６が連結される内障子用ロッド棒４を、サッシ竪枠１５に対して進退自在に取り付けてある。内障子用ロッド棒４は、金属の角棒３３に樹脂でできた略円柱形のスライダー３４をリベット３５で結合させたもので、下框１７の下面側に形成した断面Ｃ字状の取付溝３６に、角棒３３が挿入されている。内障子１をサッシ枠３に組み入れる際には、当初内障子用ロッド棒４を引っ込めた状態で内障子１を内障子用レール２９，２９間に配置し、その後内障子用ロッド棒４を進出させてスライダー３４をレール２９のスリットに挿入する。スライダー３４の周囲には環状の溝３７が形成してあり、その溝にワイヤー６の先端を輪っかにして引っ掛けている。なお図中の符号３８は、サッシ竪枠１５に設けた穴（図示省略）に係合させて内障子をロックするサブロック用の突片であり、３９はその突片３８を出没動作させるための操作部である。
【００１５】
外障子２は、上框１９、下框２０、及び左右の縦框２１とで枠組みを形成し、枠内にＵ字ビード３１を介してガラスパネル４０を装着したものである。外障子２は、その上部と下部の両側端部をサッシ枠３に固定することによって、固定障子となっている。固定の構造をより詳しく説明すると、まず上部の固定については、図２ないし図４に示すように、サッシ竪枠１５上部のサッシ上枠１３との接合部の真下にはガイドピース１０が取り付けてあって、ガイドピース１０の表面側に設けた嵌合突起４１が、図５に示すように縦框２１の対向する突出壁４５，４５の内側に嵌合することによって、外障子上部が見込み方向に動くのを規制している。なおガイドピース１０は、裏面側に設けた爪４２を、外障子用レール３０のスリットに嵌め込むことで、着脱自在に取り付けられている。
【００１６】
外障子２の下部の固定は、下框２０の左右両側に設けた外障子用ロッド棒５を、サッシ竪枠のレール３０内に設けた略Ｌ字形のストッパー１１に係合することによってなされる。外障子用ロッド棒５は、内障子１の下部に設けたものと同一のものを使用しており、内障子１と同じように、下框２０の下面側に形成した取付溝３６にロッド棒の角棒３３を挿入し、サッシ竪枠１５に対して進退自在に取り付けてある。外障子２をサッシ枠３に組み入れる際には、図６（イ）に示すように、当初外障子用ロッド棒５を引っ込めた状態で外障子２を外障子用レール３０，３０間に配置し、外障子２を若干上に持ち上げて外障子上部の両側端部をガイドピース１０に嵌合させた後、外障子用ロッド棒５をレール３０のスリット内に進出させて、図６（ロ）に示すようにスライダー３４をストッパー１１に係合させる。外障子用ロッド棒５の出入り位置は、角棒３３に下方からビス４３を捩じ込んで固定される（内障子用ロッド棒４についても同じ）。こうして外障子２は、全く動かない固定障子となる。なおストッパー１１はサッシ竪枠１５にビス４８で取り付けてあり、着脱自在となっている。
【００１７】
以上に述べたシングルハングの上げ下げ窓は、サッシ枠３、内障子１、外障子２をそのまま使用して、ダブルハングにすることもできる。図７はダブルハングにした場合の室内側正面図であり、図８は図７のＣ−Ｃ断面図である。シングルハングの場合と異なるのは、サッシ竪枠１５にガイドピース１０とストッパー１１を設けないで外障子２を上下に動かせる状態とし、サッシ上枠１３の内部に内障子用バランサー８と隣接して外障子用バランサー９を併せて設け、外障子２の上部両側にレール３０に案内される突片４４を追加し、外障子用バランサー９からのワイヤー７の先端を外障子下部の外障子用ロッド棒５に連結したことである。
【００１８】
このように本上げ下げ窓は、同一のサッシ枠と内障子と外障子を用い、組み付ける部品をわずかに違えるだけで、外障子を固定障子、上下動自在障子の何れにもできる。シングルハングとダブルハングとでは、バランサーやガイドピース、ストッパー以外にも組み付ける部品が違ったり、加工が必要であったりするので、どちらか選択できるのは原則として施工前の時点の話であるが、予めそうした部品を全て着脱自在にするなどしておけば、施工後に選択できるようにもすることができる。
【００１９】
本発明の上げ下げ窓は、以上に述べた実施形態に限定されない。ガイドピースは、実施形態ではサッシ竪枠上部に固定して外障子の側端部に嵌合させているが、サッシ竪枠上部のサッシ上枠側に固定して外障子の上端部に嵌合させても良い。ロッド棒は、外障子用と内障子用とで全く同一のものを使用することができるが、若干形状が異なるもの（例えば、ワイヤーを連結するための溝が、一方には有って、他方には無いなど）を使用しても良い。また、この上げ下げ窓は、外壁の開口部に設置するばかりでなく、ドア等の戸に組み込んで上げ下げ窓付戸を形成することもできる。
【００２２】
【発明の効果】
請求項１記載の上げ下げ窓は、同一のサッシ枠と内障子と外障子を用い、外障子を固定障子と上下動自在障子の何れにもできることから、ダブルハングとシングルハングの二つのタイプを設計・生産する必要がなくなり、上げ下げ窓のコストが削減され、安価に提供できるようになる。さらに本発明の上げ下げ窓は、外障子の下部に竪枠に対して進退自在に取付けた外障子用ロッド棒を有し、外障子を固定障子とする場合には、外障子上部を竪枠上部に取付けたガイドピースに嵌合すると共に外障子用ロッド棒を竪枠中間部に取付けたストッパーに係止することで、外障子を簡単にサッシ枠に固定でき、施工性が極めて良好である。また外障子用ロッド棒は、外障子を上下動自在障子とする場合の吊りワイヤーの連結部材を兼ねるものであり、しかも外障子用ロッド棒と内障子用ロッド棒とは略同一部材としてあることから、部品の共通化によりコストを削減できる。
【図面の簡単な説明】
【図１】図２におけるＡ−Ａ断面図である。
【図２】本発明の上げ下げ窓の一実施形態を示す室内側正面図である。
【図３】図２におけるＢ−Ｂ断面図である。
【図４】サッシ竪枠の上部を障子側から見た図である。
【図５】ガイドピースが外障子に嵌合する状態を示す横断面図である。
【図６】（イ）（ロ）
外障子の下部右側を拡大して示す正面図であって、外障子用ロッド棒がストッパーに係合する前の状態と係合した状態を示す。
【図７】本発明の上げ下げ窓をダブルハングとした場合の室内側正面図である。
【図８】図７におけるＣ−Ｃ断面図である。
【符号の説明】
１  内障子
２  外障子
３  サッシ枠
４  内障子用ロッド棒
５  外障子用ロッド棒
６  内障子用ワイヤー
７  外障子用ワイヤー
８  内障子用バランサー
９  外障子用バランサー
１０  ガイドピース
１１  ストッパー
１２  カバー材
１３  サッシ上枠
１５  サッシ竪枠
４６  外障子用バランサー取付自在空間
４７  外障子用ワイヤー挿通自在空間
【図１】
0003695406.tif 000002
【図２】
0003695406.tif 000003
【図３】
0003695406.tif 000004
【図４】
0003695406.tif 000005
【図５】
0003695406.tif 000006
【図６】
0003695406.tif 000007
【図７】
0003695406.tif 000008
【図８】
0003695406.tif 000009